(57)【特許請求の範囲】
【請求項１】
被検体を放射線でスキャンすることによって得られた放射線断層像のデータに基づいて、前記被検体の領域の外に存在する人体を前記放射線断層像が画像再構成されるスライス面において検出する検出部と、
前記スキャンの前に予め得られた放射線被曝線量に基づいて、前記検出部で検出された人体における放射線被曝線量の推定値を算出する算出部と、
該算出部によって算出された放射線被曝線量の推定値に基づく報知を行なう報知部と、
を備えることを特徴とする放射線断層撮影システム。
【請求項２】
前記スキャンの前に予め得られた放射線被曝線量は、一スライス面における複数箇所についての放射線被曝線量であり、
前記算出部は、前記複数箇所における放射線被曝線量の中から前記検出部で検出された人体の位置に応じて選択された放射線被曝線量に基づいて前記推定値の算出を行なう
ことを特徴とする請求項１に記載の放射線断層撮影システム。
【請求項３】
前記算出部は、前記複数箇所における放射線被曝線量の中から選択された放射線被曝線量を用いて補間演算を行なって前記推定値の算出を行なうことを特徴とする請求項２に記載の放射線断層撮影システム。
【請求項４】
前記検出部は、前記検出対象である人体がとりうる値の範囲として設定された所要の範囲の値を有する放射線断層像のデータを特定した後、該特定されたデータと放射線断層像において対応する画素が連続する領域を特定し、該領域の大きさが、前記検出対象である人体の部位の前記放射線断層像における大きさとして設定された条件を満たす領域を、前記人体として検出することを特徴とする請求項１〜３のいずれか一項に記載の放射線断層撮影システム。
【請求項５】
前記報知部は、前記算出部によって算出された放射線被曝線量の推定値を、視覚的又は聴覚的に報知することを特徴とする請求項１〜４のいずれか一項に記載の放射線断層撮影システム。
【請求項６】
前記報知部は、前記算出部によって算出された放射線被曝線量の推定値が所要の閾値を超えたことを視覚的又は聴覚的に報知することを特徴とする請求項１〜５のいずれか一項に記載の放射線断層撮影システム。
【請求項７】
前記スキャンの前に予め得られた放射線被曝線量は、予め測定して得られた測定値であることを特徴とする請求項１〜６のいずれか一項に記載の放射線断層撮影システム。
【請求項８】
前記検出部による検出の対象となる検出領域を、前記放射線断層像のデータに基づいて表示された放射線断層像において指定する入力を受け付ける入力装置を備えることを特徴とする請求項１〜７のいずれか一項に記載の放射線断層撮影システム。
【発明の詳細な説明】
【技術分野】
【０００１】
本発明は、放射線被曝線量の推定値を算出する放射線断層撮影システム及びその制御プログラムに関する。
【背景技術】
【０００２】
医療機関における被検体への施術の一つとして、ＣＴフルオロ（ＣＴ  ｆｌｕｏｒｏ）などと呼ばれるＸ線ＣＴガイド（Ｘ−ｒａｙ  Ｃｏｍｐｕｔｅｄ  Ｔｏｍｏｇｒａｐｈｙ  ｇｕｉｄｅ）下での穿刺が知られている（例えば、特許文献１参照）。当該穿刺では、術者は、Ｘ線ＣＴシステムを操作して被検体の患部周辺を必要なタイミング（ｔｉｍｉｎｇ）で単発的にあるいは連続的に撮影する。撮影によって得られた断層像は、術者に向けて設置された検査室内のモニタ（ｍｏｎｉｔｏｒ）に表示される。術者は、そのモニタに表示された断層像を参照しながら、穿刺針を被検体に挿入し患部に導いていく。
【先行技術文献】
【特許文献】
【０００３】
【特許文献１】特開２０１５−８４８００号公報
【発明の概要】
【発明が解決しようとする課題】
【０００４】
上述のＸ線ＣＴガイド下での穿刺において、術者の散乱Ｘ線による被曝量を低減するため、術者は例えば防護服を着用したりしている。しかし、穿刺針を保持している指や手については被曝してしまうことがある。従って、術者等の被曝線量を知りたいというニーズがある。
【課題を解決するための手段】
【０００５】
上述の課題を解決するためになされた発明は、被検体を放射線でスキャンすることによって得られた放射線断層像のデータに基づいて、前記被検体の領域の外に存在する人体を前記放射線断層像が作成されるスライス面において検出する検出部と、前記スキャンの前に予め得られた前記被検体における放射線被曝線量に基づいて、前記検出部で検出された人体における放射線被曝線量の推定値を算出する算出部と、この算出部によって算出された放射線被曝線量の推定値に基づく報知を行なう報知部と、を備えることを特徴とする放射線断層撮影システムである。
【発明の効果】
【０００６】
上記観点の発明によれば、前記算出部により、例えば術者等の人体における放射線被曝線量の推定値が算出され、この放射線被曝線量の推定値に基づく報知が行われるので、術者等の放射線被曝線量を知ることができる。
【図面の簡単な説明】
【０００７】
【図１】実施形態に係るＸ線ＣＴシステムのハードウェアの構成を概略的に示す図である。
【図２】検査室の概略を示す図である。
【図３】図１に示すＸ線ＣＴシステムの操作コンソールの機能ブロック図である。
【図４】実施形態に係るＸ線ＣＴシステムの処理の流れを示すフローチャートである。
【図５】所要の範囲の値の断層像データと断層像において対応する画素が連続する領域を説明する図である。
【図６】被検体の断層像を示す図であり、所要の面積を有する領域を特定する手法を説明する図である。
【図７】被検体の断層像を示す図であり、所要の面積を有する領域を特定する他の手法を説明する図である。
【図８】記憶装置に記憶されているＣＴＤＩ値の測定位置を示す図である。
【図９】検出対象のＸ線被曝線量の推定値の算出の一例を説明する図である。
【図１０】検出対象のＸ線被曝線量の推定値の算出の他例を説明する図である。
【図１１】Ｘ線被曝線量が表示された検査室内表示装置の画面を示す図である。
【図１２】Ｘ線被曝線量及び警告メッセージが表示された検査室内表示装置の画面を示す図である。
【発明を実施するための形態】
【０００８】
以下、本発明の実施形態について説明する。図１には、本発明における放射線断層撮影システムの実施の形態の一例であるＸ線ＣＴシステム１が示されている。この図１に示すように、Ｘ線ＣＴシステム１は、ガントリ（ｇａｎｔｒｙ）２、撮影テーブル（ｉｍａｇｉｎｇ  ｔａｂｌｅ）４、及び操作コンソール（ｃｏｎｓｏｌｅ）６を備えている。また、Ｘ線ＣＴシステム１は、図２に示す後述の検査室内表示装置１００及びフットスイッチ（ｆｏｏｔ  ｓｗｉｔｃｈ）１０２を備えている。
【０００９】
ガントリ２は、Ｘ線管２１、アパーチャ（ａｐｅｒｔｕｒｅ）２２、コリメータ装置（ｃｏｌｉｍａｔｏｒ  ｄｅｖｉｃｅ）２３、Ｘ線検出器２４、データ収集部２５、回転部２６、高電圧電源２７、アパーチャ駆動装置２８、回転駆動装置２９、及びガントリ・テーブル制御部３０を有している。
【００１０】
Ｘ線管２１及びＸ線検出器２４は、開口部２Ｂを挟み対向して配置されている。
【００１１】
アパーチャ２２は、Ｘ線管２１と開口部２Ｂとの間に配置されている。Ｘ線管２１のＸ線焦点からＸ線検出器２４に向けて放射されるＸ線をファンビーム（ｆａｎ  ｂｅａｍ）やコーンビーム（ｃｏｎｅ  ｂｅａｍ）に成形する。
【００１２】
コリメータ装置２３は、開口部２ＢとＸ線検出器２４との間に配置されている。コリメータ装置２３は、Ｘ線検出器２４に入射する散乱線を除去する。
【００１３】
Ｘ線検出器２４は、Ｘ線管２１から放射される扇状のＸ線ビームの広がり方向（チャネル（ｃｈａｎｎｅｌ）方向という）および厚み方向（列方向という）に、２次元的に配列された複数のＸ線検出素子を有している。各Ｘ線検出素子は、開口部２Ｂに配された被検体５の透過Ｘ線をそれぞれ検出し、その強度に応じた電気信号を出力する。被検体５は、例えば、人間や動物などの生体である。
【００１４】
データ収集部２５は、Ｘ線検出器２４の各Ｘ線検出素子から出力される電気信号を受信し、Ｘ線データに変換して収集する。
【００１５】
回転部２６は、開口部２Ｂの周りに回転可能に支持されている。回転部２６には、Ｘ線管２１、アパーチャ２２、コリメータ装置２３、Ｘ線検出器２４、及びデータ収集部２５が搭載されている。
【００１６】
撮影テーブル４は、クレードル（ｃｒａｄｌｅ）４１、クレードル駆動装置４２を有している。被検体５は、クレードル４１の上に載置される。クレードル駆動装置４２は、クレードル４１をガントリ２の開口部２Ｂすなわち撮影空間に入れ出しする。
【００１７】
高電圧電源２７は、Ｘ線管２１に高電圧及び電流を供給する。
【００１８】
アパーチャ駆動装置２８は、アパーチャ２２を駆動しその開口を変形させる。
【００１９】
回転駆動装置２９は、回転部２６を回転駆動する。
【００２０】
ガントリ・テーブル制御部３０は、ガントリ２内の各装置・各部、撮影テーブル４等を制御する。
【００２１】
ガントリ２、撮影テーブル４は、図２に示すように検査室Ｒ内に設けられている。また、この検査室Ｒには、撮影テーブル４の近傍に、検査室内表示装置１００が設けられている。この検査室内表示装置１００には、後述するように各種の画像が表示される。
【００２２】
図２では、検査室内表示装置１００は、検査室Ｒの天井Ｃに取り付けられたアーム１０１によって指示されている。アーム１０１は可動式であり（詳細な構成は図示省略）、術者が見やすいように、検査室内表示装置１００の向きや位置を調節することができるようになっている。検査室内表示装置１００は、操作コンソール６と接続されている。
【００２３】
また、検査室Ｒ内には、フットスイッチ１０２が設けられている。本例では、フットスイッチ１０２は、検査室Ｒの床Ｆに載置されており、操作コンソール６と接続されている。
【００２４】
操作コンソール６は、検査室Ｒに隣接した図示しない操作室に設けられている。操作コンソール６は、操作者からの各種操作を受け付ける。操作コンソール６は、入力装置６１、表示装置６２、記憶装置６３、及び演算処理装置６４を有している。本例では、操作コンソール６は、コンピュータ（ｃｏｍｐｕｔｅｒ）により構成されている。
【００２５】
入力装置６１は、操作者からの指示や情報の入力を受け付けるボタン及びキーボード（ｋｅｙｂｏａｒｄ）などを含み、さらにポインティングデバイス（ｐｏｉｎｔｉｎｇ  ｄｅｖｉｃｅ）などを含んで構成されている。表示装置６２は、ＬＣＤ（Ｌｉｑｕｉｄ  Ｃｒｙｓｔａｌ  Ｄｉｓｐｌａｙ）や有機ＥＬ（Ｅｌｅｃｔｒｏ−Ｌｕｍｉｎｅｓｃｅｎｃｅ）ディスプレイなどである。
【００２６】
記憶装置６３は、ＨＤＤ（Ｈａｒｄ  Ｄｉｓｋ  Ｄｒｉｖｅ：ハードディスクドライブ）や、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等の半導体メモリ（Ｍｅｍｏｒｙ）などである。操作コンソール６は、記憶装置６３として、ＨＤＤ、ＲＡＭ及びＲＯＭの全てを有していてもよい。また、記憶装置６３は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの可搬性の記憶媒体を含んでいてもよい。
【００２７】
演算処理装置６４は、ＣＰＵ（ｃｅｎｔｒａｌ  ｐｒｏｃｅｓｓｉｎｇ  ｕｎｉｔ）などのプロセッサーである。
【００２８】
なお、ここでは、図１に示すように、被検体５の体軸方向、すなわち撮影テーブル４による被検体５の搬送方向をｚ方向とする。また、鉛直方向をｙ方向、ｙ方向およびｚ方向に直交する水平方向をｘ方向とする。
【００２９】
操作コンソール６は、図３に示すように、機能ブロックとして、スキャン制御部７１、画像再構成部７２、検出部７３、算出部７４及び表示制御部７５を有する。演算処理装置６４は、所定のプログラム（ｐｒｏｇｒａｍ）により、上述のスキャン制御部７１、画像再構成部７２、検出部７３、算出部７４及び表示制御部７５の機能を実行させる。所定のプログラムは、例えば、記憶装置６３を構成するＨＤＤやＲＯＭなどの非一過性の記憶媒体に記憶されている。また、プログラムは、記憶装置６３を構成するＣＤやＤＶＤなどの可搬性を有し非一過性の記憶媒体に記憶されていてもよい。
【００３０】
スキャン制御部７１は、操作者の操作に応じて、スキャンが実施されるようガントリ・テーブル制御部３０を制御する。
【００３１】
画像再構成部７２は、事前に予備的に行われるスカウトスキャン（ｓｃｏｕｔ  ｓｃａｎ）により得られた投影データに基づいてスカウト像を再構成する。また、画像再構成部７２は、被検体５をＸ線でスキャンして得られた投影データに基づいて画像再構成処理を行ない、断層像データを得る。断層像データは、本発明における放射線断層像のデータの実施の形態の一例である。前記スキャンには、後述のヘリカル（ｈｅｌｉｃａｌ）スキャンや穿刺用スキャンが含まれる。
【００３２】
検出部７３は、前記断層像データに基づいて、被検体５の領域の外に存在する人体を前記断層像データに基づく断層像が画像再構成されるスライス面において検出する。検出部７３は、例えば穿刺手技を行なう術者など、被検体５とは異なる人体を検出する。詳細は後述する。検出部７３は、本発明における検出部の実施の形態の一例である。また、検出部７３の機能は、本発明における検出機能の実施の形態の一例である。
【００３３】
算出部７４は、穿刺用スキャンの前に予め得られた被検体におけるＸ線被曝線量に基づいて、検出部７３で検出された人体におけるＸ線被曝線量を推定値として算出する。詳細は後述する。穿刺用スキャンの前に予め得られた被検体におけるＸ線被曝線量は、例えばＣＴＤＩファントム又は人体模擬ファントムにおいて予め得られたＸ線被爆線量である。算出部７４は、本発明における算出部の実施の形態の一例である。また、算出部７４の機能は、本発明における算出機能の実施の形態の一例である。
【００３４】
表示制御部７５は、スカウト像や断層像を含む各種の画像やテキスト（ｔｅｘｔ）を、表示装置６２や検査室内表示装置１００に表示させる。例えば、表示制御部７５は、テキストとして、算出部７４で算出されたＸ線被曝線量や、後述する警告のメッセージなどを、表示装置６２や検査室内表示装置１００に表示させる。表示制御部７５は、本発明における報知部の実施の形態の一例である。また、表示制御部７５によるＸ線被曝線量や警告のメッセージなどの表示機能は、本発明における表示制御機能の実施の形態の一例である。
【００３５】
次に、本実施形態に係るＸ線ＣＴシステムにおける処理の流れについて、図４のフローチャートに基づいて説明する。先ず、ステップＳ１では、被検体５が撮影テーブル４に載せられて撮影の準備が行われる。次に、ステップＳ２では、穿刺用スキャン（ＣＴフルオロ撮影）の条件を設定したり、穿刺位置を確認したりするためのスカウトスキャン及びヘリカルスキャンが行われる。スカウトスキャン及びヘリカルスキャンは、スキャン制御部７１がガントリ・テーブル制御部３０を制御することによって行われる。
【００３６】
次に、ステップＳ３では、ステップＳ２において行なわれたスカウトスキャン及びヘリカルスキャンによって得られた投影データに基づいて、術者等が穿刺用スキャンの条件を設定したり穿刺針を刺入する位置（穿刺位置）を決定したりする。術者等は、前記スカウトスキャン及び前記ヘリカルスキャンによって得られた投影データに基づいて作成されたスカウト画像や断層像等に基づいて、穿刺用スキャンの条件を設定したり穿刺位置を決定したりする。
【００３７】
次に、ステップＳ４では、穿刺用スキャンが開始される。穿刺用スキャンは、例えば術者がフットスイッチ１０２を操作することにより開始される。より詳細には、術者がフットスイッチ１０２を踏むと、スキャン制御部７１がガントリ・テーブル制御部３０を制御して穿刺用スキャンが開始される。穿刺用スキャンは、穿刺位置を含むスライス面ＳＰについて行なわれる。
【００３８】
また、ステップＳ４においては、穿刺用スキャンによって得られた投影データを画像再構成して得られた断層像データに基づいて作成された断層像Ｉが、検査室内表示装置１００及び表示装置６２に表示されてもよい。検査室内表示装置１００に断層像Ｉが表示されると、検査室Ｒ内の術者は、表示された断層像Ｉを見ながら、被検体５に対して穿刺手技を行なう。断層像Ｉは、本発明における放射線断層像の実施の形態の一例である。
【００３９】
次に、ステップＳ５では、穿刺用スキャンによって得られた投影データを画像再構成処理して得られた断層像データに基づいて、検出部７３が被検体の領域の外に存在する人体をスライス面ＳＰにおいて検出する。検出部７３による検出対象である被検体の領域の外に存在する人体は、穿刺手技を行なう術者の指及び手である。
【００４０】
検出部７３による術者の指及び手の検出について詳しく説明する。検出部７３は、穿刺用スキャンによって、スライス面ＳＰにおいて一フレームの断層像データが得られると、この断層像データに基づいて検出を行なう。一フレームの断層像データは、例えば、ビュー角度範囲を１８０度＋Ｘ線ビームのファン角（ｆａｎ  ａｎｇｌｅ）αとする、いわゆるハーフスキャン（ｈａｌｆ  ｓｃａｎ）によって得られる。
【００４１】
検出部７３は、断層像データにおいて、検出対象である指及び手がとりうる値として設定された所要の範囲の値を有する断層像データを特定する。ここでは、所要の範囲として、指及び手がとりうるＣＴ値の範囲が設定されている。例えば、所要の範囲として、−１００以上１５００以下のＣＴ値の範囲が設定されている。所要の範囲のＣＴ値は、記憶装置６３に記憶されている。
【００４２】
検出部７３は、ＣＴ値が、−１００以上１５００以下である断層像データを特定し、図５に示すように、特定された断層像データと断層像において対応する画素ｐｉが連続する領域ＣＲを、検出対象として特定する。そして、検出部７３は、領域ＣＲの大きさが、前記検出対象である手及び指の断層像における大きさとして設定された条件を満たす領域を検出する。例えば、前記条件として、断層像における手及び指の面積Ｓの範囲Ｓ１≦Ｓ≦Ｓ２が設定されている。Ｓ１≦Ｓ≦Ｓ２は、被検体５における腹部等の断面よりも小さい範囲である。断面面積Ｓの範囲Ｓ１≦Ｓ≦Ｓ２は、記憶装置６３に記憶されている。検出部７３は、面積Ｓが、Ｓ１≦Ｓ≦Ｓ２となっている領域ＣＲを検出対象である手又は指として特定する。
【００４３】
ここで、図６に示すように、断層像データに基づいて作成される断層像Ｉにおいて、術者の指又は手である検出対象Ｔの近傍には、穿刺針Ｎが存在している。従って、検出部７３は、断層像Ｉにおける穿刺針Ｎの位置を参照して、領域ＣＲを検出する位置を特定してもよい。具体的には、検出部７３は、先ず断層像データに基づいて、穿刺針Ｎを検出する。穿刺針ＮのＣＴ値は、人体のＣＴ値とは異なるので、検出部７３は、穿刺針のＣＴ値として設定された値を有する断層像データを特定して穿刺針Ｎを検出する。穿刺針のＣＴ値として設定された値は、例えば３０００ＨＵ以上のＣＴ値である。そして、検出部７３は、検出された穿刺針Ｎの近傍において、面積Ｓが、Ｓ１≦Ｓ≦Ｓ２となっている領域ＣＲを、検出対象である指又は手として特定する。検出部７３は、穿刺針Ｎを含む所要の面積の領域を設定して、その領域内において検出を行なってもよい。
【００４４】
穿刺針Ｎが検出される代わりに、図７に示すように、断層像Ｉが表示された検査室内表示装置１００の画面１００ａにおいて検出領域ＤＲが設定され、検出部７３は、この検出領域ＤＲ内において、面積Ｓが、Ｓ１≦Ｓ≦Ｓ２となっている領域ＣＲを、検出対象Ｔとして特定してもよい。
【００４５】
例えば、検出領域ＤＲは、検査室内表示装置１００の画面１００ａにおいて、術者が入力することによって設定される。この場合、例えば術者が検査室Ｒ内における操作デバイス１０３を用いて検出領域ＤＲを設定する。操作デバイス１０３は、図２では撮影テーブル４に設けられているが、これに限られるものではない。操作デバイス１０３は、本発明において検出領域を指定する入力を受け付ける入力装置の実施の形態の一例である。
【００４６】
検出領域ＤＲは、操作コンソール６を用いて設定されてもよい。この場合、操作コンソール６は、本発明において検出領域を指定する入力を受け付ける入力装置の実施の形態の一例である。
【００４７】
次に、ステップＳ６では、算出部７４が、ステップＳ５において検出された指又は手におけるＸ線被曝線量の推定値を算出する。ここでのＸ線被曝線量は、穿刺用スキャンにおけるＸ線被曝線量である。
【００４８】
ステップＳ６におけるＸ線被曝線量の推定値の算出について具体的に説明する。算出部７４は、穿刺用スキャンの前に、例えばＣＴＤＩファントム又は人体模擬ファントムなどで予め得られた被検体におけるＸ線被曝線量に基づいて、ステップＳ５において検出された指又は手におけるＸ線被曝線量の推定値を算出する。穿刺用スキャンの前に予め得られた被検体におけるＸ線被曝線量は、一スライス面における複数箇所についてのＸ線被曝線量であり、予め測定して得られた測定値である。予め測定して得られた測定値として、例えばＣＴＤＩ（ＣＴ  ｄｏｓｅ  ｉｎｄｅｘ）値が挙げられる。ＣＴＤＩ値は、記憶装置６３に記憶されている。ＣＴＤＩ値としては、例えば図８に示すようにスライス面ＳＰｃにおける複数の部分Ａｐ，Ｂｐ，Ｃｐ，Ｄｐ，Ｅｐにおける測定値が記憶されている。複数の部分Ａｐ，Ｂｐ，Ｃｐ，Ｄｐ，Ｅｐは、断層像において対応する位置が特定されている。ちなみに、説明の便宜上、スライス面ＳＰｃは、図８において一点鎖線の交点であるアイソセンター（ＩＳＯ）ＩＳを中心とする所定の半径の円で示されている。複数の部分Ａｐ，Ｂｐ，Ｃｐ，Ｄｐ，Ｅｐの各々とアイソセンターＩＳの間の距離は、等しくなっている。
【００４９】
算出部７４は、複数の部分Ａｐ，Ｂｐ，Ｃｐ，Ｄｐ，ＥｐにおけるＣＴＤＩ値の中から検出部７３で検出された指又は手の位置に応じて選択されたＣＴＤＩ値に基づいて前記推定値の算出を行なう。算出部７４は、検出部７３で検出された指又は手との距離が小さい順に二つのＣＴＤＩ値を選択する。例えば、図９において、符号Ｔ１は、検出部７３で検出された指又は手である検出対象を示している。算出部７４は、検出対象Ｔ１との距離が最も小さい部分ＢｐにおけるＣＴＤＩＢ値と、部分Ｂｐの次に検出対象Ｔ１との距離が小さい部分ＣｐにおけるＣＴＤＩＣ値とを選択する。また、検出部７３により、図１０に示す位置において検出対象Ｔ２が検出された場合、算出部７４は、検出対象Ｔ２との距離が最も小さい部分ＥｐにおけるＣＴＤＩＥ値と、部分Ｅｐの次に検出対象Ｔ２との距離が小さい部分ＢｐにおけるＣＴＤＩＢ値とを選択する。
【００５０】
前記算出部７４は、検出部７３によって図９に示す検出対象Ｔ１が検出された場合、この検出対象Ｔ１のＸ線被曝線量の推定値として、ＣＴＤＩＢ値とＣＴＤＩＣ値とを用いて、部分Ｔｐ１のＸ線被曝線量を算出する。部分Ｔｐ１は、検出対象Ｔ１とアイソセンターＩＳとを通る直線（図９では一点鎖線で図示）上に存在している。また、部分Ｔｐ１とアイソセンターＩＳの間の距離は、部分Ｂｐ，ＣｐとアイソセンターＩＳの間の距離と等しくなっている。
【００５１】
算出部７４は、ＣＴＤＩＢ値とＣＴＤＩＣ値とを用いて補間演算を行なって部分Ｔｐ１のＸ線被曝線量を算出する。具体的には、算出部７４は、ＣＴＤＩＢ値とＣＴＤＩＣ値と用いて、図９に示すθ１，θ２の大きさに応じた重み付け演算を行なうことにより前記補間演算を行なう。θ１は、部分ＢｐとアイソセンターＩＳとを通る直線及び部分Ｔｐ１とアイソセンターＩＳとを通る直線とがなす角度である。また、θ２は、部分ＣｐとアイソセンターＩＳとを通る直線及び部分Ｔｐ１とアイソセンターＩＳとを通る直線とがなす角度である。
【００５２】
また、前記算出部７４は、検出部７３によって図１０に示す検出対象Ｔ２が検出された場合、この検出対象Ｔ２のＸ線被曝線量の推定値として、ＣＴＤＩＢ値とＣＴＤＩＥ値とを用いて、部分Ｔｐ２のＸ線被曝線量を算出する。部分Ｔｐ２は、検出対象Ｔ２とアイソセンターＩＳとを通る直線（図１０では一点鎖線で図示）上に存在している。また、部分Ｔｐ２とアイソセンターＩＳの間の距離は、部分Ｂｐ，ＥｐとアイソセンターＩＳの間の距離と等しくなっている。
【００５３】
算出部７４は、ＣＴＤＩＢ値とＣＴＤＩＥ値とを用いて補間演算を行なって部分Ｔｐ２のＸ線被曝線量を算出する。具体的には、算出部７４は、ＣＴＤＩＢ値とＣＴＤＩＥ値と用いて、図１０に示すθ３，θ４の大きさに応じた重み付け演算を行なうことにより前記補間演算を行なう。θ３は、部分ＥｐとアイソセンターＩＳとを通る直線及び部分Ｔｐ２とアイソセンターＩＳとを通る直線とがなす角度である。また、θ２は、部分ＢｐとアイソセンターＩＳとを通る直線及び部分Ｔｐ２とアイソセンターＩＳとを通る直線とがなす角度である。
【００５４】
次に、ステップＳ７では、表示制御部７５は、ステップＳ６で算出された部分Ｔｐ１又は部分Ｔｐ２のＸ線被曝線量ＤＣを、ステップＳ５において検出された指又は手（検出対象Ｔ１又はＴ２）におけるＸ線被曝線量の推定値として、図１１に示すように検査室内表示装置１００に表示させる。表示制御部７５は、Ｘ線被曝線量ＤＣを、表示装置６２に表示させてもよい。Ｘ線被曝線量ＤＣの表示は、本発明における報知部による放射線被曝線量に基づく視覚的な報知の実施の形態の一例である。
【００５５】
ステップＳ７において表示されるＸ線被曝線量ＤＣが、所定の閾値を超えている場合、表示制御部７５は、図１２に示すように警告メッセージＭを検査室内表示装置１００に表示させてもよい。図１２では、警告メッセージＭは、Ｘ線被曝線量ＤＣが所定の閾値を超えていることを示す「ＷＡＲＮＩＮＧ！！」の文字からなる。ただし、警告メッセージＭはこれに限られるものではない。警告メッセージＭの表示は、本発明における報知部による放射線被曝線量に基づく視覚的な報知の実施の形態の他例である。
【００５６】
ステップＳ７において表示されるＸ線被曝線量ＤＣが、所定の閾値を超えている場合、警告メッセージＭの代わりに、あるいは警告メッセージＭとともに、警告音声が出力されてもよい。警告音声の出力は、本発明による報知部による聴覚的な報知の実施の形態の一例である。
【００５７】
次に、ステップＳ８では、処理を終了するか否かが演算処理装置６４により判定される。例えば、演算処理装置６４は、入力装置６１において撮影を終了する入力が行われると、処理を終了すると判定する。
【００５８】
ステップＳ８において処理を終了しないと判定された場合（ステップＳ８において、「ＮＯ」）、ステップＳ１に戻る。この場合再びステップＳ１以降の処理が繰り返され、断層像Ｉの表示が更新されるとともに、Ｘ線被曝線量ＤＣの表示も更新される。一方、ステップＳ８において処理を終了すると判定された場合（ステップＳ８において、「ＹＥＳ」）、処理を終了する。
【００５９】
以上説明した本例によれば、検査室内表示装置１００にＸ線被曝線量ＤＣが表示されることにより、検査室Ｒ内の術者は、穿刺手技を行なっている手又は指におけるＸ線被曝線量を知ることができる。しかも、Ｘ線被曝線量ＤＣの表示は、断層像Ｉの表示とともに更新されるので、術者は、リアルタイムでＸ線被曝線量を知ることができる。
【００６０】
以上、本発明を前記実施形態によって説明したが、本発明はその主旨を変更しない範囲で種々変更実施可能なことはもちろんである。例えば、穿刺用スキャンの前に予め得られた被検体におけるＸ線被曝線量として、上述のＣＴＤＩ値の代わりに、被検体を模したファントムを用いて測定されたＸ線被曝線量が用いられてもよい。
【００６１】
また、Ｘ線被曝線量ＤＣの値が音声で出力されてもよい。音声によるＸ線被曝線量ＤＣの出力は、本発明における報知部による聴覚的な報知の実施の形態の一例である。
【００６２】
また、上述の実施形態において説明した検出部７３による術者の指及び手の検出の手法は一例であり、上述の手法に限られるものではない。
【符号の説明】
【００６３】
１  Ｘ線ＣＴシステム
６  操作コンソール
７３  検出部
７４  算出部
７５  表示制御部
１０３  操作デバイス
【図１】
0006749757.tif 000002
【図２】
0006749757.tif 000003
【図３】
0006749757.tif 000004
【図４】
0006749757.tif 000005
【図５】
0006749757.tif 000006
【図６】
0006749757.tif 000007
【図７】
0006749757.tif 000008
【図８】
0006749757.tif 000009
【図９】
0006749757.tif 000010
【図１０】
0006749757.tif 000011
【図１１】
0006749757.tif 000012
【図１２】
0006749757.tif 000013